(57)【要約】【課題】  拡散ノズルの噴射方向を手動で確実かつ容易に可変することができると共に、見栄えの良い液体噴射装置を提供する。【解決手段】  自励発振型の拡散ノズル２０と、この拡散ノズル２０の球体部２５を摺動自在に嵌合する球面凹状取付部１３を形成した装置本体１１とを備えた液体噴射装置１０において、拡散ノズル２０を、球体部２５及び露出した液体用流路２４を有する発振ノズル体２１と、この発振ノズル体２１の液体用流路２４を覆う蓋ノズル体２２とで構成し、発振ノズル体２１の先端に噴口２３の噴射方向を調整する調整用つまみ２９を設け、装置本体１１に液体噴射口１２を覆うノズルカバー１７を設け、このノズルカバー１７の拡散ノズル２０の噴口２３に対向する位置に開口窓１７ｃを設けた。【選択図】図３
2005199193.tif 000002
【特許請求の範囲】
【請求項１】
内部に先端の噴口から液体を振動させて拡散させる液体用流路を有すると共に、基端部に該噴口の噴射方向を可変させる球体部を有した拡散ノズルと、この拡散ノズルの球体部を摺動自在に嵌合する球面凹状取付部を形成した装置本体とを備えた液体噴射装置において、
前記拡散ノズルを、前記球体部及び液体用流路を有する発振ノズル体と、この発振ノズル体の液体用流路を覆う蓋ノズル体とで構成し、前記発振ノズル体の先端に前記噴口の噴射方向を調整する調整用つまみを設けたことを特徴とする液体噴射装置。
【請求項２】
内部に先端の噴口から液体を振動させて拡散させる液体用流路を有すると共に、基端部に該噴口の噴射方向を可変させる球体部を有した拡散ノズルと、この拡散ノズルの球体部を摺動自在に嵌合する球面凹状取付部を形成した装置本体とを備えた液体噴射装置において、
前記装置本体に該装置本体の液体噴射口を覆うノズルカバーを設け、このノズルカバーの前記拡散ノズルの噴口に対向する位置に開口窓を設けたことを特徴とする液体噴射装置。
【請求項３】
内部に先端の噴口から液体を振動させて拡散させる液体用流路を有すると共に、基端部に該噴口の噴射方向を可変させる球体部を有した拡散ノズルと、この拡散ノズルの球体部を摺動自在に嵌合する球面凹状取付部を形成した装置本体とを備えた液体噴射装置において、
前記拡散ノズルを、前記球体部及び液体用流路を有する発振ノズル体と、この発振ノズル体の液体用流路を覆う蓋ノズル体とで構成し、前記発振ノズル体の先端に前記噴口の噴射方向を調整する調整用つまみを設ける一方、前記装置本体に該装置本体の液体噴射口を覆うノズルカバーを設け、このノズルカバーの前記拡散ノズルの噴口に対向する位置に開口窓を設けたことを特徴とする液体噴射装置。
【請求項４】
請求項２または３に記載の液体噴射装置であって、
前記装置本体は合成樹脂製であり、前記ノズルカバーはこの装置本体に一体突出形成されているとともに、このノズルカバーは、基端に形成されたヒンジ部と先端にＬ字状に形成された係止部とを備え、前記液体噴射口の上端縁には、前記ノズルカバーをヒンジ部を回動支点として折り曲げたとき前記係止部が係止される係合部が形成されていることを特徴とする液体噴射装置。
【発明の詳細な説明】
【技術分野】
【０００１】
本発明は、例えば、自動車のフロントガラスに洗浄液等の液体を拡散させて噴射する自励発振型の拡散ノズルを備えた液体噴射装置に関する。
【背景技術】
【０００２】
この種の液体噴射装置として、図７及び図８に示すものがある（例えば、特許文献１参照）。この液体噴射装置１は、図７及び図８に示すように、内部に先端の噴口３から洗浄液Ｓを振動させて拡散させるフィードバック流路４ａ，４ｂ等の液体用流路４を有すると共に、基端部に該噴口３の噴射方向を可変させる球体部５を有した拡散ノズル２と、この拡散ノズル２の球体部５を摺動自在に嵌合する球面凹状取付部８を液体噴射口７側に形成した装置本体６とを備えている。
【０００３】
図８に示すように、拡散ノズル２は、基端部に半割り状の球体部５ａ及び露出した液体用流路４を有する発振ノズル体２ａと、基端部に半割り状の球体部５ｂを有すると共に、発振ノズル体２ａの露出した液体用流路４を覆う蓋ノズル体２ｂとで構成されている。これら発振ノズル体２ａと蓋ノズル体２ｂは溶着等で結合され、合体して球状に成った球体部５ａを装置本体６の球面凹状取付部８に摺動自在に嵌合してある。これにより、装置本体６に設けられた液体供給流路９内に圧送された洗浄液Ｓは、拡散ノズル２の内部の液体用流路４を噴流することで自励発振され、先端の噴口３から横方向に拡散されて噴射されるようになっている。
【０００４】
また、図７に示すように、装置本体６の液体噴射口７内に露出した拡散ノズル２の先端を摘んで該拡散ノズル２の噴射軸Ｇを上下方向、或いは、左右方向に移動させることにより、拡散ノズル２から噴射される洗浄液Ｓの噴射方向を可変させることができるようになっている。
【０００５】
【特許文献１】特開２００２−６７８８７号公報
【０００６】
【特許文献２】特公昭５９−９３７８号公報
【発明の開示】
【発明が解決しようとする課題】
【０００７】
しかしながら、前記従来の液体噴射装置１では、拡散ノズル２の噴射方向を可変させる球体部５を二つ割りに形成して溶着等により合体しているため、この合体の精度により球体部５の球面に段差等が発生し易く、該球体部５を装置本体６の球面凹状取付部８に対してスムーズに摺動させて噴射方向を変えてその位置調整することができない場合があり、また、拡散ノズル２を手動により適正な位置に調整する作業が煩雑であった。さらに、拡散ノズル２の噴射方向を可変させるために液体噴射口７を大きく形成してあるため、見栄えが悪く、液体噴射口７に塵埃等が入った場合には、拡散ノズル２の噴口３が目詰まりして洗浄液Ｓを噴射できなくなるおそれがあった。
【０００８】
そこで、本発明は、前記した課題を解決すべくなされたものであり、拡散ノズルの噴射方向を手動で確実かつ容易に可変することができると共に、見栄えの良い液体噴射装置を提供することを目的とする。
【課題を解決するための手段】
【０００９】
請求項１の発明は、内部に先端の噴口から液体を振動させて拡散させる液体用流路を有すると共に、基端部に該噴口の噴射方向を可変させる球体部を有した拡散ノズルと、この拡散ノズルの球体部を摺動自在に嵌合する球面凹状取付部を形成した装置本体とを備えた液体噴射装置において、前記拡散ノズルを、前記球体部及び液体用流路を有する発振ノズル体と、この発振ノズル体の液体用流路を覆う蓋ノズル体とで構成し、前記発振ノズル体の先端に前記噴口の噴射方向を調整する調整用つまみを設けたことを特徴とする。
【００１０】
請求項２の発明は、内部に先端の噴口から液体を振動させて拡散させる液体用流路を有すると共に、基端部に該噴口の噴射方向を可変させる球体部を有した拡散ノズルと、この拡散ノズルの球体部を摺動自在に嵌合する球面凹状取付部を形成した装置本体とを備えた液体噴射装置において、前記装置本体に該装置本体の液体噴射口を覆うノズルカバーを設け、このノズルカバーの前記拡散ノズルの噴口に対向する位置に開口窓を設けたことを特徴とする。
【００１１】
請求項３の発明は、内部に先端の噴口から液体を振動させて拡散させる液体用流路を有すると共に、基端部に該噴口の噴射方向を可変させる球体部を有した拡散ノズルと、この拡散ノズルの球体部を摺動自在に嵌合する球面凹状取付部を形成した装置本体とを備えた液体噴射装置において、前記拡散ノズルを、前記球体部及び液体用流路を有する発振ノズル体と、この発振ノズル体の液体用流路を覆う蓋ノズル体とで構成し、前記発振ノズル体の先端に前記噴口の噴射方向を調整する調整用つまみを設ける一方、前記装置本体に該装置本体の液体噴射口を覆うノズルカバーを設け、このノズルカバーの前記拡散ノズルの噴口に対向する位置に開口窓を設けたことを特徴とする。
【００１２】
請求項４の発明は、請求項２または３に記載の液体噴射装置であって、前記装置本体は合成樹脂製であり、前記ノズルカバーはこの装置本体に一体突出形成されているとともに、このノズルカバーは、基端に形成されたヒンジ部と先端にＬ字状に形成された係止部とを備え、前記液体噴射口の上端縁には、前記ノズルカバーをヒンジ部を回動支点として折り曲げたとき前記係止部が係止される係合部が形成されていることを特徴とする。
【発明の効果】
【００１３】
以上説明したように、請求項１の発明によれば、拡散ノズルの噴射方向を可変させる球体部を該拡散ノズルの一部を構成する発振ノズル体の基端部に一体形成したので、球体部を装置本体の球面凹状取付部に対して常にスムーズに摺動させることができ、拡散ノズルの噴射方向を確実かつ容易に可変させることができる。また、発振ノズル体の先端の調整用つまみの操作により拡散ノズルを手動により適正な位置に確実かつ容易に調整することができる。
【００１４】
請求項２の発明によれば、装置本体に液体噴射口を覆うノズルカバーを設け、このノズルカバーの拡散ノズルの噴口に対向する位置に開口窓を設けたので、装置本体の見栄えを向上させることができると共に、液体噴射口に塵埃等が入り難くなり、拡散ノズルの噴口の目詰まりを確実に防止して洗浄液を常に噴射させることができる。
【００１５】
請求項３の発明によれば、拡散ノズルの噴射方向を可変させる球体部を該拡散ノズルの一部を構成する発振ノズル体の基端部に一体形成したので、球体部を装置本体の球面凹状取付部に対して常にスムーズに摺動させることができ、拡散ノズルの噴射方向を確実かつ容易に可変させることができる。また、発振ノズル体の先端の調整用つまみの操作により拡散ノズルを手動により適正な位置に確実かつ容易に調整することができる。さらに、装置本体に液体噴射口を覆うノズルカバーを設け、このノズルカバーの拡散ノズルの噴口に対向する位置に開口窓を設けたので、装置本体の見栄えを向上させることができると共に、液体噴射口に塵埃等が入り難くなり、拡散ノズルの噴口の目詰まりを確実に防止して洗浄液を常に噴射させることができる。
【００１６】
請求項４の発明によれば、ノズルカバーは、基端に形成されたヒンジ部と先端にＬ字状に形成された係止部とを備え、装置本体の液体噴射口の上端縁には、ノズルカバーをヒンジ部を回動支点として折り曲げたとき係止部が係止される係合部が形成されているので、
ノズルカバーを容易に装置本体の液体噴射口に装着することができる。
【発明を実施するための最良の形態】
【００１７】
以下、本発明の実施例１を図面に基づいて説明する。
【実施例１】
【００１８】
図１は本発明の実施例１の液体噴射装置を車輌のカウルパネルに取り付けた状態を一部断面で示す側面図、図２は同液体噴射装置の正面図、図３は同液体噴射装置の断面図、図４は同液体噴射装置に用いられる拡散ノズルの分解斜視図、図５は同拡散ノズルの斜視図、図６は同拡散ノズルの下部を構成する発振ノズル体の平面図である。
【００１９】
図１〜図３に示すように、液体噴射装置１０は、内部に先端の噴口２３から洗浄液（液体）Ｓを振動させて拡散させる液体用流路２４を有すると共に、基端部に該噴口２３の噴射方向を可変させる球体部２５を有した合成樹脂製の拡散ノズル２０と、この拡散ノズル２０の球体部２５を摺動自在に嵌合する球面凹状取付部１３を液体噴射口１２側に形成した合成樹脂製のハウジング（装置本体）１１とを備えている。
【００２０】
図４，図５に示すように、拡散ノズル２０は、基端部に球体部２５及び露出した液体用流路２４を有する合成樹脂製の発振ノズル体２１と、この発振ノズル体２１の上面側に露出した液体用流路２４を覆う合成樹脂製で板状の蓋ノズル体２２とで構成されている。
【００２１】
発振ノズル体２１の液体用流路２４は、球体部２５から発振ノズル体２１の基部に形成され、先端が主ノズル２６ａに成っている供給口２６と、主ノズル２６ａと噴口２３との間に形成された内部流路２７と、噴口２３より主ノズル２６ａに洗浄液Ｓをフィードバックさせる左右一対のフィードバック流路２８ａ，２８ｂとを備えている。また、発振ノズル体２１の先端の下部には洗浄液Ｓの噴射方向（噴口２３の噴射方向）を調整する調整用つまみ２９を一体突出形成してある。
【００２２】
図１及び図３に示すように、ハウジング１１は、先端より基部の内部にかけて液体噴射口１２と球面凹状取付部１３及び液体供給流路１４を形成したノズル取付部１５と、このノズル取付部１５の底面１５ａの中央より下方に円筒状に一体突出形成されたハウジング固定部１６とで側面略Ｌ字状に形成してある。また、ハウジング１１のノズル取付部１５の底面１５ａの側部には、四角筒状の液体噴射口１２を覆う矩形板状のノズルカバー１７を一体突出形成してある。このノズルカバー１７は基端に形成されたヒンジ部１７ａを回動支点として上方に折り曲げられるようになっており、この折り曲げ時に該ノズルカバー１７の先端にＬ字状に形成された係止部（凸部）１７ｂがハウジング１１の液体噴射口１２の上端縁に形成された係合部（凹部）１５ｂに係止されるようになっている。また、このノズルカバー１７の拡散ノズル２０の噴口２３に対向する位置には、矩形の開口窓１７ｃを形成してある。さらに、図１〜図３に示すように、拡散ノズル２０の噴口２３の噴射方向の位置を調整するために該拡散ノズル２０の先端部を上下方向或いは左右方向に所定の角度で回動できるように、ハウジング１１の液体噴射口１２は四角筒状になっている。即ち、この四角筒状の液体噴射口１２は、拡散ノズル２０の先端部を上下方向或いは左右方向に回動できるように十分な調整逃げ空間を有している。
【００２３】
図１及び図３に示すように、ハウジング１１の円筒状のハウジング固定部１６の外周には、カウルカバー（被取付体）４０の取付孔４１にロックされる一対の係止爪（係止部）１８，１８を一体突出形成してある。また、円筒状のハウジング固定部１６の下端開口部１６ａ内にはニップル１９を嵌合してある。このニップル１９の上部の円環状の突起部１９ａは逆止弁３０により開閉されるようになっている。この逆止弁３０は、円環状の突起部１９ａに当接、離反されるゴム製で円盤皿状のパッキン３１と、このパッキン３１を保持する合成樹脂製で略円筒状のガイド３２と、このガイド３２とノズル取付部１５の底面１５ａとの間に介在されてパッキン３１を円環状の突起部１９ａに付勢させるコイルスプリング（付勢手段）３３とで構成されている。さらに、ニップル１９の先端部には供給パイプ４２を連結してある。この供給パイプ４２は図示しない洗浄液タンク及び供給ポンプに接続されて、洗浄液Ｓを洗浄液タンクからハウジング１１の液体供給流路１４に圧送するようになっている。
【００２４】
以上実施例１の液体噴射装置１０によれば、拡散ノズル２０の噴射方向を可変させる球体部２５を該拡散ノズル２０の下部を構成する発振ノズル体２１の基端部に一体形成したことにより、該球体部２５をハウジング１１の球面凹状取付部１３に対して常にスムーズに摺動させることができ、拡散ノズル２０の噴射方向を確実かつ容易に可変させることができる。
【００２５】
また、発振ノズル体２１の先端に突出した調整用つまみ２９の操作により拡散ノズル２０の噴口２３を手動により上下方向、或いは左右方向に移動させて適正な位置に確実かつ容易に調整することができる。
【００２６】
さらに、ハウジング１１のノズル取付部１５の底面１５ａの側部に液体噴射口１２を覆うノズルカバー１７を一体形成し、このノズルカバー１７をヒンジ部１７ａを回動支点として折り曲げて拡散ノズル２０の噴口２３の周りを覆ったことにより、ハウジング１１の外観の見栄えを向上させることができると共に、液体噴射口１２に塵埃等が入り難くなり、拡散ノズル２０の噴口２３の目詰まりを確実に防止して洗浄液Ｓを常に良好な状態で噴射させることができるとともに、ノズルカバー１７を容易にハウジング１１の液体噴射口１２に装着することができる。
【００２７】
この洗浄液Ｓの噴射の際に、該洗浄液Ｓは供給ポンプによって洗浄液タンクからニップル１９の内部に圧送され、洗浄液Ｓが所定の圧力になるとコイルスプリング３３の付勢力に打勝ってガイド３２とパッキン３１が図３の上方に移動し、即ち逆止弁３０が開かれ、洗浄液Ｓはハウジング１１の液体供給流路１４に圧送され、図６に示すように、拡散ノズル２０の供給口２６から浸入し、主ノズル２６ａから噴射され、内部流路２７の側壁２７ａに沿って付着噴流となり、スロート２３ａを通って噴口２３の側壁２３ｂに向かい外部に噴射される。そして、上記付着噴流の一部が側壁２７ａにある制御ポート２８ｃに入り込んで、フィードバック流路２８ａから制御ノズル２８ｄに送られ、制御流となる。
【００２８】
この制御ノズル２８ｄからの制御流によって、主噴流は内部流路２７の側壁２７ａを離れて反対側の側壁２７ｂに付着して付着流となる。この付着流の一部によるフィードバック流路２８ｂからの制御流によって、主噴流が上記側壁２７ａに切り換えられ、この繰り返しにより、洗浄液Ｓが自励発振するものである。このようにして、拡散ノズル２０によって自動車のフロントガラス等に洗浄液Ｓが均一に拡散されて散布される。
【００２９】
尚、前記実施例１によれば、拡散ノズルの調整用つまみを手動により操作するようにしたが、例えば、自動車の運転席からリモートコントール装置により方向変更装置等を介して調整用つまみを自動で操作するようにしても良い。
【図面の簡単な説明】
【００３０】
【図１】本発明の実施例１の液体噴射装置を車輌のカウルパネルに取り付けた状態を一部断面で示す側面図である。
【図２】上記液体噴射装置の正面図である。
【図３】上記液体噴射装置の断面図である。
【図４】上記液体噴射装置に用いられる拡散ノズルの分解斜視図である。
【図５】上記拡散ノズルの斜視図である。
【図６】上記拡散ノズルの下部を構成する発振ノズル体の平面図である。
【図７】従来例の液体噴射装置を一部断面で示す側面図である。
【図８】上記従来例の液体噴射装置に用いられる拡散ノズルの分解斜視図である。
【符号の説明】
【００３１】
１０  液体噴射装置
１１  ハウジング（装置本体）
１２  液体噴射口
１３  球面凹状取付部
１５ｂ  係合部
１７  ノズルカバー
１７ａ  ヒンジ部
１７ｂ  係止部
１７ｃ  開口窓
２０  拡散ノズル
２１  発振ノズル体
２２  蓋ノズル体
２３  噴口
２４  液体用流路
２５  球体部
２９  調整用つまみ
Ｓ  洗浄液（液体）
【図１】
2005199193.tif 000003
【図２】
2005199193.tif 000004
【図３】
2005199193.tif 000005
【図４】
2005199193.tif 000006
【図５】
2005199193.tif 000007
【図６】
2005199193.tif 000008
【図７】
2005199193.tif 000009
【図８】
2005199193.tif 000010